(57)【要約】【課題】カード挿入の速度を速めることができ、操作効率と使いやすさを向上させることができる２挿入口全自動シャッフル・ディール装置の提供。【解決手段】ホイールと、前記ホイールの両端に設けられた２つのカード挿入装置とを備える。前記カード挿入装置に使用者がカードの山を入れると、作動して、ホイール上に間隔をあけて平行に設けられたカード溝の中に、カードの山の中のカードを１枚ずつ送ることができる。前記ホイールは、カードをそれぞれ異なるカード溝に置いた後、無作為に転動し、非所定角まで転動した後、一時的に固定することができる。カード弾き棒が作動し、カードをカード溝の中から弾き出すと、カード放出装置が作動し、カードが１枚ずつ放出され、プレイヤーに配られる。２つのカード挿入装置が同時に作動することによって、前記２挿入口全自動シャッフル・ディール装置は、さらに速い速度でカードを入れることが可能である。そのため、操作効率と使いやすさをさらに向上させることができる。【選択図】図１
0003143296.tif 000002
【実用新案登録請求の範囲】
【請求項１】
ホイールと、２つのカード挿入装置とを備え、
前記ホイール上には、間隔をあけて相互に平行した複数のカード溝が周りを取り囲んで成形してあり、各カード溝は、それぞれ少なくとも１枚のカードを収容することができ、かつ前記ホイールは、電子制御装置により乱数制御が可能であり、無作為に転動し、非所定角まで転動した後、一時的に固定し、カード弾き棒が作動し、カードをカード溝の中から弾き出し、
前記２つのカード挿入装置は、前記ホイールの両端の上の縁に別々に設けられ、各カード挿入装置上には、傾斜した送り台が形成してあり、前記送り台の末端は、前記ホイールを一時的に固定したときに、そのうちの１つのカード溝と向かい合うことが可能な位置にあり、また、前記送り台の末端には、巻き込みローラーと、少なくとも１つの送りローラーセットが順番に設けてあり、前記巻き込みローラーは、前記送り台の平面上方の所定の距離の箇所に位置し、第１動力装置によって動かされ、回転することができ、前記送りローラーセットは、前記送り台の末端と、向かい合うカード溝との間に設けられ、従動ローラーと主動ローラーとを含み、前記主動ローラーと前記従動ローラーは間隔をあけて設けられ、その間に隙間が形成してあり、前記隙間は、前記送り台の同平面上に位置し、前記向かい合うカード溝に対応し、前記従動ローラーは、前記カード挿入装置上に転動自在に枢設され、前記主動ローラーは、第２動力装置によって動かされ、回転することができる２挿入口全自動シャッフル・ディール装置。
【請求項２】
各カード挿入装置が、２つの隣り合った前記送りローラーセットを含む請求項１に記載の２挿入口全自動シャッフル・ディール装置。
【請求項３】
各カード挿入装置の巻き込みローラーのうちの一端は、第１歯車セットを介して第１動力装置に接続することにより、第１動力装置によって動かされ、回転することができる請求項１に記載の２挿入口全自動シャッフル・ディール装置。
【請求項４】
各カード挿入装置の送り台の両側にストッパーがさらに形成してある請求項１に記載の２挿入口全自動シャッフル・ディール装置。
【請求項５】
各カード挿入装置の従動ローラーを、前記カード挿入装置の両側のストッパー上に転動自在に枢設した請求項４に記載の２挿入口全自動シャッフル・ディール装置。
【請求項６】
各カード挿入装置の主動ローラーのうちの一端は、第２歯車セットを介して動力装置に接続することにより、前記動力装置によって動かされ、回転することができる請求項１に記載の２挿入口全自動シャッフル・ディール装置。
【請求項７】
ホイールとカード挿入装置との間に、カード挿入片をさらに設けてあり、前記カード挿入片は、薄片状であり、前記ホイールの側面の縁に沿って成形し、折れ曲がった状態で、かつ下側に当接部が突出して形成してあり、前記当接部の端を、ホイールのカード溝の入口に位置し、カードの進行経路と垂直になるように設けた請求項１乃至６の何れかに記載の２挿入口全自動シャッフル・ディール装置。
【考案の詳細な説明】
【技術分野】
【０００１】
本考案は、トランプのシャッフル・ディール装置に関し、特にカード挿入の速度を速めることができる２挿入口全自動シャッフル・ディール装置に関する。
【背景技術】
【０００２】
人の手の動きの速度には限界があるため、人の手でトランプを切り、配ると、時間がかかり、速度が遅い。また、技術が非常に優れたプレーヤーは、微細な手の動きによって不正を行うことができ、ゲームにおいて人為的な操作の要素が存在してしまうことになる。本考案者は、特許文献１の「全自動シャッフル・ディール装置」を出願し、特許を取得している。前記装置は、ホイールと、前記ホイールの両端に設けられたカード挿入装置およびカード放出装置とを有する。前記カード挿入装置に使用者がカードの山を入れると、作動して、ホイール上に間隔をあけて平行に設けられたカード溝の中に、前記カードの山の中のカードを１枚ずつ送ることができる。前記ホイールは、カードをそれぞれ異なるカード溝に配置した後、無作為に転動し、非所定角まで転動した後、一時的に固定することができる。カード弾き棒が作動し、カードをカード溝の中から弾き出すと、カード放出装置が作動し、カードが１枚ずつ放出され、プレイヤーに配られる。ホイールが無作為に転動するため、放出されるカードのランク（数字）とスート（絵柄）は乱数配列となる。これによって、全自動方式でのカードのシャッフルとディールの効果を達成する。
【特許文献１】台湾特許第０９５２１６７７８号
【考案の開示】
【考案が解決しようとする課題】
【０００３】
前記全自動シャッフル・ディール装置は、実際の使用において、カード挿入の速度がある程度制限されるため、カード挿入時の待ち時間が長くなる。
【０００４】
本考案の２挿入口全自動シャッフル・ディール装置は、前記課題を解決するために、検討を経てさらに開発されたものである。カード挿入の速度を速めることができ、操作効率と使いやすさを向上させることができる。
【課題を解決するための手段】
【０００５】
前記目的を達成するため、本考案の２挿入口全自動シャッフル・ディール装置は、ホイールと、２つのカード挿入装置とを備える。
【０００６】
前記ホイール上には、間隔をあけて相互に平行した複数のカード溝が周りを取り囲んで成形してあり、各カード溝は、それぞれ少なくとも１枚のカードを収容することができる。前記ホイールは、電子制御装置により乱数制御が可能であり、無作為に転動し、非所定角まで転動した後、一時的に固定する。カード弾き棒が作動し、カードをカード溝の中から弾き出す。
【０００７】
前記２つのカード挿入装置は、前記ホイールの両端の上の縁に別々に設けられる。各カード挿入装置上には、傾斜した送り台が形成してある。前記送り台の末端は、前記ホイールを一時的に固定したときに、そのうちの１つのカード溝と向かい合うことが可能な位置にある。また、前記送り台の末端には、巻き込みローラーと、少なくとも１つの送りローラーセットが順番に設けてある。前記巻き込みローラーは、前記送り台の平面上方の所定の距離の箇所に位置し、動力装置によって動かされ、回転することができる。前記送りローラーセットは、前記送り台の末端と、向かい合うカード溝との間に設けられ、従動ローラーと主動ローラーとを含む。前記主動ローラーと前記従動ローラーは間隔をあけて設けられ、その間に隙間が形成してある。前記隙間は、前記送り台の同平面上に位置し、前記向かい合うカード溝に対応する。前記従動ローラーは、前記カード挿入装置上に転動自在に枢設される。前記主動ローラーは、動力装置によって動かされ、回転することができる。
【０００８】
使用時には、カードの山をホイール両側のカード挿入装置にある送り台上にそれぞれ置くと、各カード挿入装置の巻き込みローラーによって巻き込まれ、前記従動ローラーおよび主動ローラーの隙間の中に入り、前記従動ローラーおよび主動ローラーの伝動を介して、ホイール上の異なるカード溝の中にカードが１枚ずつ送られ、カードが入れられる。
【０００９】
すなわち、本願の第１考案は、ホイールと、２つのカード挿入装置とを備え、  前記ホイール上には、間隔をあけて相互に平行した複数のカード溝が周りを取り囲んで成形してあり、各カード溝は、それぞれ少なくとも１枚のカードを収容することができ、かつ前記ホイールは、電子制御装置により乱数制御が可能であり、無作為に転動し、非所定角まで転動した後、一時的に固定し、カード弾き棒が作動し、カードをカード溝の中から弾き出し、  前記２つのカード挿入装置は、前記ホイールの両端の上の縁に別々に設けられ、各カード挿入装置上には、傾斜した送り台が形成してあり、前記送り台の末端は、前記ホイールを一時的に固定したときに、そのうちの１つのカード溝と向かい合うことが可能な位置にあり、また、前記送り台の末端には、巻き込みローラーと、少なくとも１つの送りローラーセットが順番に設けてあり、前記巻き込みローラーは、前記送り台の平面上方の所定の距離の箇所に位置し、第１動力装置によって動かされ、回転することができ、前記送りローラーセットは、前記送り台の末端と、向かい合うカード溝との間に設けられ、従動ローラーと主動ローラーとを含み、前記主動ローラーと前記従動ローラーは間隔をあけて設けられ、その間に隙間が形成してあり、前記隙間は、前記送り台の同平面上に位置し、前記向かい合うカード溝に対応し、前記従動ローラーは、前記カード挿入装置上に転動自在に枢設され、前記主動ローラーは、第２動力装置によって動かされ、回転することができる２挿入口全自動シャッフル・ディール装置であることを要旨とする。
【００１０】
また、本願の第２考案は、各カード挿入装置が、２つの隣り合った前記送りローラーセットを含む本願の第１考案に記載の２挿入口全自動シャッフル・ディール装置であることを要旨とする。
【００１１】
また、本願の第３考案は、各カード挿入装置の巻き込みローラーのうちの一端は、第１歯車セットを介して第１動力装置に接続することにより、第１動力装置によって動かされ、回転することができる本願の第１考案に記載の２挿入口全自動シャッフル・ディール装置であることを要旨とする。
【００１２】
また、本願の第４考案は、各カード挿入装置の送り台の両側にストッパーがさらに形成してある本願の第１考案に記載の２挿入口全自動シャッフル・ディール装置であることを要旨とする。
【００１３】
また、本願の第５考案は、各カード挿入装置の従動ローラーを、前記カード挿入装置の両側のストッパー上に転動自在に枢設した本願の第４考案に記載の２挿入口全自動シャッフル・ディール装置であることを要旨とする。
【００１４】
また、本願の第６考案は、各カード挿入装置の主動ローラーのうちの一端は、第２歯車セットを介して動力装置に接続することにより、前記動力装置によって動かされ、回転することができる本願の第１考案に記載の２挿入口全自動シャッフル・ディール装置であることを要旨とする。
【００１５】
また、本願の第７考案は、ホイールとカード挿入装置との間に、カード挿入片をさらに設けてあり、前記カード挿入片は、薄片状であり、前記ホイールの側面の縁に沿って成形し、折れ曲がった状態で、かつ下側に当接部が突出して形成してあり、前記当接部の端を、ホイールのカード溝の入口に位置し、カードの進行経路と垂直になるように設けた本願の第１考案乃至第６考案の何れかに記載の２挿入口全自動シャッフル・ディール装置であることを要旨とする。
【考案の効果】
【００１６】
２つのカード挿入装置が同時に作動することによって、本考案の２挿入口全自動シャッフル・ディール装置は、さらに速い速度でカードを入れることが可能である。そのため、操作効率と使いやすさをさらに向上させることができる。
【考案を実施するための最良の形態】
【００１７】
図１、図２、図３に示すように、本考案の２挿入口全自動シャッフル・ディール装置は、ホイール（１０）と２つのカード挿入装置（２０）とを備える。
【００１８】
ホイール（１０）は台座（１１）上に枢設され、２つのディスクを有する。前記２つのディスクの間には、間隔をあけて相互に平行した複数のカード溝（１２）が周りを取り囲んで成形してある。各カード溝（１２）の中には、それぞれクランプ（１２０）がある。クランプ（１２０）は径方向に斜めに設けられた薄片であり、ホイール（１０）の中心の近くの端に弾性素子（１２１）が設けてあり、弾力を提供して前記端をカード溝（１２）の内壁に当接させ、挟むことができる。また、ホイール（１０）の周縁には歯車が形成してあり、ホイール（１０）は、駆動装置（１５）（図４を参照）と、電子制御装置（１３）と、カード弾き装置（１４）（図４を参照）とを含む。
【００１９】
駆動装置（１５）は、ホイール（１０）の歯車と噛み合う駆動歯車（１５０）の回転を駆動することにより、ホイール（１０）の回転を制御することができる。
【００２０】
電子制御装置（１３）は、台座（１１）上に装着され、駆動装置（１５）を制御し、ホイール（１０）を無作為に回転させて非所定角に固定することができる。
【００２１】
カード弾き装置（１４）は、カード弾き棒（１４０）と、動力装置（１４１）とを含む。カード弾き棒（１４０）上には、細長い作動溝が貫通して成形してある。カード弾き棒（１４０）は、ホイール（１０）の片側に位置し、一端は台座（１１）上に枢設され、他端は宙に浮いた状態であり、横向きに突出した横棒（１４２）を有する。動力装置（１４１）は、ホイール（１０）に固定した後、作動溝の中に偏心に貫通した動力棒（図には示されていない）を回転させ、カード弾き棒（１４０）を往復移動させ、その横棒（１４２）でカード溝（１２）に沿って外向きに弾き出すことができる。
【００２２】
２つのカード挿入装置（２０）は、ホイール（１０）の両端の上の縁に別々に設けられる。各カード挿入装置（２０）上には、傾斜した送り台（２１）が形成してある。送り台（２１）の両側にはストッパー（２２）が形成してある。その末端は、ホイール（１０）を一時的に固定したときに、そのうちの１つのカード溝（１２）と向かい合うことが可能な位置にある。また、送り台（２１）の末端には、巻き込みローラー（２３）と、２つの送りローラーセット（２４）が順番に設けてある。巻き込みローラー（２３）は、送り台（２１）の平面上方の所定の距離の箇所に位置し、巻き込みローラー（２３）のうちの一端は、第１歯車セット（２３０）を介して第１動力装置（２３１）に接続することにより、第１動力装置（２３１）によって動かされ、回転することができる。
【００２３】
２つの送りローラーセット（２４）は、送り台（２１）の末端と、向かい合うカード溝（１２）との間に設けられる。各送りローラーセット（２４）は、従動ローラー（２４０）と主動ローラー（２４１）とを含む。主動ローラー（２４１）と従動ローラー（２４０）は間隔をあけて設けられ、その間に隙間が形成してある。前記隙間は、送り台（２１）の同平面上に位置し、向かい合うカード溝（１２）に対応する。従動ローラー（２４０）は、カード挿入装置（２０）の両側のストッパー（２２）上に転動自在に枢設される。主動ローラー（２４１）のうちの一端は、第２歯車セット（２４２）を介して第２動力装置（２４３）（図１を参照）に接続することにより、第２動力装置（２４３）によって動かされ、回転することができる。
【００２４】
図５に示すように、使用時には、カードの山をホイール（１０）両側のカード挿入装置（２０）にある送り台（２１）上にそれぞれ置く。各カード挿入装置（２０）の巻き込みローラー（２３）によって巻き込まれ、隣接する送りローラーセット（２４）の従動ローラー（２４０）および主動ローラー（２４１）の隙間の中に１枚ずつ入る。さらに、２つの送りローラーセット（２４）の従動ローラー（２４０）および主動ローラー（２４１）の回転によって、ホイール（１０）上の異なるカード溝（１２）の中にカードが１枚ずつ送られ、カードが入れられる。
【００２５】
また、ホイール（１０）とカード挿入装置（２０）との間には、カード挿入片（３０）を固設することができる。カード挿入片（３０）は、薄片状であり、ホイール（１０）の側面の縁に沿って成形し、折れ曲がった状態にすることができる。下側には当接部（３１）が突出して形成してある。当接部（３１）の端は、ホイール（１０）のカード溝（１２）の入口に位置し、カードの進行経路と垂直になるように設けられる。
【００２６】
カード挿入装置（２０）の中にあるカードがホイール（１０）のカード溝（１２）の中に入り、末端がカード溝（１２）の中に入りきっていないときに、カード挿入片（３０）の当接部（３１）がカードの末端に当たるようにする。この際に、コンピュータプログラムを介してホイール（１０）を制御し、上向きに回転させ、カードが当接部（３１）に押されて曲がるようにする。こうすることによって、カード溝（１２）とカード挿入片（３０）との間の空間に入れ、末端がカード挿入片（３０）に密着し、滑動するようにする。ホイール（１０）が一定の角度回転した後、コンピュータプログラムを介してホイール（１０）をさらに制御し、逆回転させる。カードの末端が逆方向の摩擦力を受け、それ自体の弾力によってまっすぐに戻り、カード溝（１２）の深い箇所に弾き入れられ、カードが入れられる。
【００２７】
カード挿入装置（２０）の中のカードがすべてホイール（１０）上のカード溝（１２）に入った後、電子制御装置（１３）によって駆動装置（１５）が制御され、ホイール（１０）は無作為に転動し、非所定角まで転動した後に一時的に固定される。このとき、カード弾き装置（１４）の中の動力装置（１４１）が作動し、カード弾き棒（１４０）を往復移動させ、対応するカードをその横棒（１４２）でカード溝（１２）から弾き出す。ホイール（１０）が無作為に転動するため、カード弾き棒（１４０）に弾き出されるカードのランクとスートは乱数配列となる。これによって、カードのシャッフルとディールの効果を達成する。
【００２８】
前記の内容から分かるように、本考案の２挿入口全自動シャッフル・ディール装置は、２つのカード挿入装置（２０）が同時に作動することにより、さらに速い速度でカードを入れることができる。そのため、操作効率と使いやすさを向上させることができる。
【図面の簡単な説明】
【００２９】
【図１】本考案の外観立体図である。
【図２】本考案の分解立体図である。
【図３】本考案の側面断面図である。
【図４】本考案の一部の側面断面図である。
【図５】本考案の実施状態の概要図である。
【符号の説明】
【００３０】
１０    ホイール
１１    台座
１２    カード溝
１２０  クランプ
１２１  弾性素子
１３    電子制御装置
１４    カード弾き装置
１４０  カード弾き棒
１４１  動力装置
１４２  横棒
１５    駆動装置
１５０  駆動歯車
２０    カード挿入装置
２１    送り台
２２    ストッパー
２３    巻き込みローラー
２３０  第１歯車セット
２３１  第１動力装置
２４    送りローラーセット
２４０  従動ローラー
２４１  主動ローラー
２４２  第２歯車セット
２４３  第２動力装置
３０    カード挿入片
３１    当接部
【図１】
0003143296.tif 000003
【図２】
0003143296.tif 000004
【図３】
0003143296.tif 000005
【図４】
0003143296.tif 000006
【図５】
0003143296.tif 000007